(57)【要約】【課題】ユーザーが必要に応じて月間カレンダーを自作することができるカレンダーを提供する。【解決手段】このカレンダー１０は１枚の紙片からなり、その表面１０ａには、１月から１２月までのうちの１つの月を選択する月選択欄１１と、月曜日から日曜日までの７曜日表示欄１２ａおよび少なくとも日にちを書き込むための７曜日に対応する７列×５行の升目１２ｂとを含む月間カレンダー作成部１２とが設けられており、紙片の裏面には、再貼着・再剥離性を有する粘着剤が塗布されている。【選択図】図３
0003197079.tif 000002
【実用新案登録請求の範囲】
【請求項１】
１枚の紙片からなり、上記紙片の表面には、１月から１２月までのうちの１つの月を選択する月選択欄と、月曜日から日曜日までの７曜日が表示された７曜日表示欄および少なくとも日にちを書き込むための７曜日に対応する７列×少なくとも５行の升目を含む月間カレンダー作成部とが設けられており、上記紙片の裏面には、再貼着・再剥離性を有する粘着剤が塗布されていることを特徴とするカレンダー。
【請求項２】
上記升目の各ます内には、日にちを書き込む位置を示すマークが表示されていることを特徴とする請求項１に記載のカレンダー。
【請求項３】
上記紙片の表面には、メモ書き欄がさらに設けられていることを特徴とする請求項１または２に記載のカレンダー。
【請求項４】
上記紙片の裏面には、上記粘着剤を覆う剥離紙が設けられていることを特徴とする請求項１ないし３のいずれか１項に記載のカレンダ−。
【請求項５】
請求項４に記載の裏面に剥離紙を有するカレンダーの表面上に、請求項１ないし３のいずれか１項に記載のカレンダーが裏面側の粘着剤を介して所定枚数積層されていることを特徴とするカレンダー積層体。
【考案の詳細な説明】
【技術分野】
【０００１】
本考案は、カレンダーに関し、さらに詳しく言えば、月間カレンダーをユーザーが作成できるカレンダーに関するものである。
【背景技術】
【０００２】
年間カレンダーには、１月から１２月までの月間カレンダーが含まれており、通常（例えば、特許文献１参照）、月間カレンダーには、日曜日から土曜日までの７曜日と、各曜日ごとに日にちが割り当てられている７列×５行（もしくは７列×６行）の升目とが印刷されており、ユーザーは、予定日の升目内に時間や場所等の必要事項を書き込んで自己のスケジュール等を管理するようにしている。
【０００３】
しかしながら、一升の大きさには制限があり、余り多くの事項を書き込むことができないことがある。また、仕事の用事と私的な用事とを分けておきたいこともある。例えば、会社員であれば、社内での会議や来客等の職務上のスケジュールと、勤務時間外のプライベートなスケジュールとを別々にしておきたいことがある。
【０００４】
しかしながら、これには、同じ月の月間カレンダーを複数枚必要とするが、容易に手に入るものでもないし、仮に、手に入ったとしても、その複数枚を並置するだけのスペースが必要となる。また、必ずしも毎月分でなく、単月分だけでよい場合もある。
【先行技術文献】
【特許文献】
【０００５】
【特許文献１】実用新案登録第３１８６０４８号公報（図２参照）
【考案の概要】
【考案が解決しようとする課題】
【０００６】
したがって、本考案の課題は、ユーザーが必要に応じて月間カレンダーを自作することができるカレンダーを提供することにある。
【課題を解決するための手段】
【０００７】
上記課題を解決するため、本考案のカレンダーは、請求項１に記載されているように、１枚の紙片からなり、上記紙片の表面には、１月から１２月までのうちの１つの月を選択する月選択欄と、月曜日から日曜日までの７曜日が表示された７曜日表示欄および少なくとも日にちを書き込むための７曜日に対応する７列×少なくとも５行の升目を含む月間カレンダー作成部とが設けられており、上記紙片の裏面には、再貼着・再剥離性を有する粘着剤が塗布されていることを特徴としている。
【０００８】
請求項２に記載されているように、上記升目の各ます内には、日にちを書き込む位置を示すマークが表示されていることが好ましい。
【０００９】
また、請求項３に記載されているように、上記紙片の表面には、メモ書き欄がさらに設けられていることが好ましい。
【００１０】
また、実際の商品形態としては、請求項４に記載されているように、上記紙片の裏面には、上記粘着剤を覆う剥離紙が設けられる。
【００１１】
本考案には、請求項４に記載の裏面に剥離紙を有するカレンダーの表面上に、請求項１ないし３のいずれか１項に記載のカレンダーが裏面側の粘着剤を介して所定枚数積層されているカレンダー積層体も含まれる。
【考案の効果】
【００１２】
本考案によれば、月選択欄の中から所望とする月を筆記具で丸囲み等で選択し、７曜日に対応する７列×５行の升目内に、好ましくはその月の月初日から月末日までを書き込むことにより、その月の月間カレンダーを作成（自作）することができる。また、裏面に塗布されている粘着剤を介して壁や手帳，ノート等に貼り付けることができるため、総じてスケジュール管理上、好都合である。
【００１３】
この場合、升目の各ます内に日にちを書き込む位置を示すマークが表示されていることにより、日にちを決まった箇所に整然と書き込むことができる。
【００１４】
また、メモ書き欄がさらに設けられていることにより、ます内に書き切れない事項や予定日に関する情報等をメモ書き欄に記載しておくことができる。
【００１５】
また、裏面に粘着剤を覆う剥離紙が設けられることにより、このカレンダーを所定枚数重ねて包装袋内に収納して販売に供することができる。
【図面の簡単な説明】
【００１６】
【図１】本考案の一実施形態に係るカレンダーの表面を示す正面図。
【図２】上記カレンダーの裏面を示す背面図。
【図３】作成された月間カレンダーの一例を示す正面図。
【図４】複数枚の上記カレンダーを積層した状態を示す断面図。
【考案を実施するための形態】
【００１７】
次に、図１ないし図４により、本考案の実施形態について説明するが、本考案はこれに限定されるものではない。
【００１８】
図１に示すように、この実施形態に係るカレンダー１は、角丸の矩形状をなす紙片１０からなり、その表面（オモテ面）１０ａには、月選択欄１１と、月間カレンダー作成部１２と、メモ書き欄１３とが設けられている。紙片１０は、筆記性を有するものであれば、紙材もしくはフィルム材のいずれでもよい。
【００１９】
紙片１０の好ましい大きさとしては、Ｓサイズで幅９０ｍｍ，高さ１３８ｍｍ、Ｍサイズで幅１１５ｍｍ，高さ１６０ｍｍを例示することができる。なお、幅は図１において左右方向、高さは図１において上下方向である。
【００２０】
月選択欄１１には、１月から１２月までの月が、この実施形態では、６列×２行の枠内に英文字表記で記載されている。図３に示すように、所望とする月を例えば筆記具で丸囲み（もしくはレ点マークやアンダライン付け）することにより、月間カレンダーの月が選択される。
【００２１】
月間カレンダー作成部１２には、月曜日から日曜日までが表示された７曜日表示欄１２ａと、７曜日に対応する７列×６行（月によっては７列×５行の場合もある）の升目１２ｂとが含まれている。なお、この実施形態では、月曜日を左端、日曜日を右端として、１週間を月曜日から始めているが、日曜日を左端、土曜日を右端として、１週間を日曜日から始めてもよい。
【００２２】
升目１２ｂには、月選択欄１１で選択された月の月初日（１日）から月末日（２８，２９，３０，３１日のいずれか）までがユーザーによって書き込まれる。選択された月の月初日（１日）が例えば日曜日であれば、日曜日から日にちを順次書き込む。
【００２３】
升目１２ｂに日にちを書き込むにあたって、決まった箇所に整然と書き込むことができるようにするため、各升内に日にちを書き込む位置を示すマーク１２ｍを印刷しておくことが好ましい。
【００２４】
この実施形態では、月選択欄１１および月間カレンダー作成部１２のほかに、メモ書き欄１３を備えている。この実施形態において、メモ書き欄１３内は格子状に区画されているが、空欄状であってもよい。また、上から順に月選択欄１１、メモ書き欄１３、月間カレンダー作成部１２の配置となっているが、この順序は任意に入れ替えられてよい。
【００２５】
図２を参照して、カレンダー１を構成する紙片１０の裏面１０ｂには、粘着剤１５が一様に塗布されており、その粘着面には剥離紙１６が貼り付けられている。粘着剤１５は、繰り返し使用が可能な再貼着・再剥離性を有する粘着剤であることが好ましい。
【００２６】
図３に、ユーザーによって作成された月間カレンダーの一例を示す。これによると、この月間カレンダーは、２０１５年２月であることが分かる。２月１日が日曜日であることから、升目１２ｂ内には、２月１日から２月２８日までの各日にちが日曜日から順次書き込まれている。なお、図３の例では、前月（１月）分の最終週の日にちと、次月（３月）の月初日の３／１までも書き込まれている。
【００２７】
スケジュールとして、２月２日（月）と２月２１日（土）にマークが付けられ、その各升内に予定事項（飲み会、コンサート）が記載されている。また、メモ書き欄１３にも、１５日と２３日の各予定が記載されている。さらに、メモ書き欄１３には、確認事項として机のサイズが記載されている。
【００２８】
このようにして、本考案のカレンダー１は、自作の月間カレンダーとして使用されるが、裏面１０ｂに粘着剤１５が塗布されているため、剥離紙１６を剥がせば、壁や手帳，ノート等に貼り付けておくことができる。
【００２９】
また、仕事用とプライベート用の２種類の月間カレンダーを作成し、プライベート用は第三者に見られないようにすることもできる。
【００３０】
本考案のカレンダー１は、裏面に剥離紙１６が貼着された形態で１枚単位で取り扱われてもよいが、ユーザーに販売するにあたっては、図４に示すように、裏面に剥離紙１６を有するカレンダー１の表面上に、所定枚数のカレンダー１（剥離紙なし）をその裏面側の粘着剤を介して積層した積層体とすることが好ましい。
【符号の説明】
【００３１】
１  カレンダー（月間カレンダー）
１０  紙片
１０ａ  表面（オモテ面）
１０ｂ  裏面
１１  月選択欄
１２  月間カレンダー作成部
１２ａ  ７曜日表示欄
１２ｂ  ７列×５行の升目
１２ｍ  日にち書込位置マーク
１３  メモ書き欄
１５  粘着剤
１６  剥離紙
【図１】
0003197079.tif 000003
【図２】
0003197079.tif 000004
【図３】
0003197079.tif 000005
【図４】
0003197079.tif 000006